(57)【特許請求の範囲】
【請求項１】
熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、前記吹出口の風路中に回転可能に設けると共に、回転装着時のガイドを吹出口部上面壁側と板状ベース部側とに一定間隔に複数設けたことを特徴とする空気調和機のベーン脱着機構。
【請求項２】
熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、前記吹出口の風路中に回転可能に設けると共に、前記板状ベース部回転軸をモータ駆動回転軸と同一方向に設けたことを特徴とする空気調和機のベーン脱着機構。
【請求項３】
熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、前記吹出口の上面壁に回転可能に設けると共に、前記板状ベース部を前記上面壁に収納され同一平面とするように設けたことを特徴とする空気調和機のベーン脱着機構。
【請求項４】
板状ベース部の固定部側に固定用フック解除時の取手を設けると共に、この取手をベーン脱着機構とは異なる色体としたことを特徴としたことを特徴とする請求項１乃至請求項３記載の空気調和機のベーン脱着機構。
【発明の詳細な説明】
【０００１】
【発明の属する技術分野】
本発明は空気調和機を構成する室内ユニットの特に、風路の吹出口に備えられるベーン脱着機構に関するものである。
【０００２】
【従来の技術】
図６ないし図９は、例えば特開平９−４９１６号公報に示された従来の装置を示す断面図である。１は、空気調和機本体パネル２とボックス３などから構成されている。そして、前部ドレンパン８の下方には本体１の前面側下部に開口する吹出し口９が設けられる。この吹出し口９には、ベーン機構部１０が設けられている。そして、送風機７の側部から吹出し口９に亘るボックス３の一部と、前部ドレンパン８及び前部ドレンパン８下面部とで風路１３が形成される。図２にも示すように、上記ベーン機構部１０は、一対の水平ベーン１１及び２組の縦ベーン機構部１２との組み合わせからなる。
【０００３】
上記縦ベーン機構部１２は、吹出し口９の上下方向に亘り、かつこの左右幅方向に所定間隔を存して複数枚の縦ベーン１４を備えている。各機構部１２ごとの縦ベーン１４は、後述するように一斉に回動変位させられるようになっていて、吹出し口９から吹出される風の左右方向の風向を変更できる。そして、上記縦ベーン機構部１２を風路１３に対して容易に着脱自在な構成とした。
【０００４】
後述するように、水平ベーン１１と縦ベーン機構部１２を取り外した状態で、吹出し口９から送風機７を構成する横流ファンが露出する。このことから、吹出し口９から手を差し込んで、送風機７のメンテナンス作業が行える。
【０００５】
次に、この縦ベーン機構部１２は、風路１３の上面壁に直接、着脱自在に取り付けられる板状ベース部１５と、この板状ベース部１５に所定間隔を存して回動自在に枢支され、風の左右方向を変更する複数の縦ベーン１４と、これら縦ベーン１４をそれぞれアーム１６を介して一体に連結し、各縦ベーン１４を一斉に同一方向に回動変位する風向設定部を備えている。１７は複数の爪部で、前記板状ベース部１５の長手方向に沿う一側縁に、所定間隔を存して設けられる。これら爪部は、山形状の受け部１７ａ及び、一端部が受け部に一体に連結され、残り部分が受け部端縁と平行な掛止爪１７ｂとからなる。そして、爪部１７下面が前記板状ベース部１５上面と面一になるよう突設され、板状ベース部１５の他側縁で、上記爪部１７とそれぞれが対向する位置に補助爪１８が一体に突設される。これらの補助爪１８も、その下面が前記板状ベース部１５の上面と面一になるよう形成される。
【０００６】
更に、前記板状ベース部１５には、他側縁近傍で、かつほぼ中央部に、横方向に長孔からなる孔部１９が設けられている。２０は上記板状ベース部１５よりも補助爪１８の長さ分大きな形状面積と同一の形状面積の凹陥部で、前記ベーン機構部１２を取り付ける風路１３に形成されている。この凹陥部２０の凹陥深さ寸法は、前記板状ベース部１５の板厚寸法と一致すると共に、この長手方向に沿い所定間隔を存して複数の掛止用窓部２１が開口される。これら掛止用窓部２１は、幅寸法が長い部分と、短い部分とが連設され、段付き矩形状をなす。
【０００７】
また、凹陥部２０長手方向中央部には、突起部２２が一体に設けられる。この突起部２２は、突起高さ寸法が板状ベース部１５の板厚と同一に設定され、かつ板状ベース部に設けられる孔部１９に挿入可能な面積形状をなす。そして、突起部２２の両側部に一対のスリット２３が設けられていて、突起部２２を押し上げ付勢することにより、突起部２２とともにスリット２３互間部位が容易に弾性変形するようになっている。
【０００８】
【発明が解決しようとする課題】
従来の空気調和機のベーン脱着機構部は、以上のように構成されていたため、ベーン機構部の脱着方法がわかりにくく、操作も複雑なため一般ユーザーでは開閉または脱着が出来ず、送風機内または風路内の清掃は不可能であった。
【０００９】
この発明は上記のような問題点を解消するためになされたもので、吹出口内のベーン機構部を簡単に開閉または脱着することが可能となり、一般ユーザーでも簡単に送風機または、風路内の清掃を可能とすることを目的とする。
【００１０】
【課題を解決するための手段】
この発明の空気調和機のベーン脱着機構は、熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、前記吹出口の風路中に回転可能に設けると共に、回転装着時のガイドを吹出口部上面壁側と板状ベース部側とに一定間隔に複数設けたものである。
【００１１】
また、この発明の空気調和機のベーン脱着機構は、  熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、前記吹出口の風路中に回転可能に設けると共に、前記板状ベース部回転軸をモータ駆動回転軸と同一方向に設けたものである。
【００１２】
また、この発明の空気調和機のベーン脱着機構は、熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、前記吹出口の上面壁に回転可能に設けると共に、前記板状ベース部を前記上面壁に収納され同一平面とするように設けたものである。
【００１３】
また、この発明の空気調和機のベーン脱着機構は、板状ベース部の固定部側に固定用フック解除時の取手を設けると共に、この取手をベーン脱着機構とは異なる色体としたものである。
【００２０】
【発明の実施の形態】
実施の形態１．
以下、この発明の実施の形態１による空気調和機のベーン脱着装置を図について説明する。図において、１は空気調和機本体で、パネル２とボックス３とから構成されるとともに、このパネル２の前面には吸込グリル４が着脱自在に装着される。そして、吸込グリル４には吸込口５が開口される。前記本体１内には吸込口５と対向して熱交換器６が配置される。この熱交換器６に覆われるように送風機７が配置される。上記熱交換器６下部はドレンパン８に挿入される。ドレンパン８の下方には、前記本体１の前面側下部に開口する吹出口９が設けられる。
【００２１】
１０はこの吹出口９に装着されているベーン機構部で、一対の水平ベーン１１と、２組の縦ベーン機構部１２の組み合わせから構成されている。前記水平ベーン１１は、吹出口９の左右幅方向に沿って、互いに平行に並べられ、その両側端部は風路１３側面部に回動自在に装着される。よって、水平ベーン１１の回動位置を設定することにより、吹出口９から吹き出される風の上下方向の風向を変更可能である。これに対し上記縦ベーン機構部１２は、吹出口９の上下方向に亘り、かつこの左右幅方向に所定間隔を有して複数枚の縦ベーン１４を備えている。各ベーン機構部１２は一斉に回動変位されるようになっており、吹出口９から吹き出される風の左右方向の風向を変更出来る。上記水平ベーン１１は、その両側端部が風路１３に対して着脱自在である。
【００２２】
前記縦ベーン機構部１２は風路１３の上面壁２４に直接取り付けられている板状ベース部１５と、この板状ベース部１５に所定間隔を有して回動自在に装着され、風の左右方向を変更する複数の縦ベーン１４と、これら縦ベーン１４をそれぞれアーム１６を介して連結し、各縦ベーンを一斉に同一方向に回動変位する風向設定部とを備えている。前記板状ベース部１５は、左右方向に細長い柔軟性のある材質の平板からなり、この平板の長手方向の片側に板状ベース部固定用略Ｃ字状フック２５が設けられ、このＣ字状フック２５は開口部が吹出口９の下流側に位置している。前記板状ベース部１５には長手方向反対側には固定用フック２６を備えている。前記Ｃ字状フック２５と対向する前記吹出口上面壁２４には軸２７が設けられ板状ベース部１５が装着され回転可能となっている。
【００２３】
また、前記板状ベース部１５固定用フック２６と対向する前記吹出口上面壁２４には前記軸２７により回転した板状ベース部１５が固定されるフック２８が設けられ固定される。２４ａはこの吹出口上面壁に設けた段差部で、装着後の前記板状ベース部１５が収納され同一平面とするように設けられている。
【００２４】
また、前記板状ベース部１５の固定用フック２６側にフック解除時の取手２９が設けられ、ベーン機構部とは別色とされ、前記吹出口上面壁２４には略Ｔ字状凹３０が一定間隔で設けられ、対向する板状ベース部１５には前記略Ｔ字状凹３０が装着可能な略Ｔ字状凸３１が設けられ、回転装着時のガイドをされ装着可能とされている。
【００２５】
実施の形態２．
図４は、この発明の実施の形態２による空気調和機のベーン脱着装置の要部斜視図であり、上記実施の形態１では板状ベース部１５固定用略Ｃ字状フック２５の開口部を吹出口９の下流側にしたが、図４に示すこの発明の実施の形態２のように吹出口の側面方向にすることで回転後に外すことが可能となる。
【００２６】
実施の形態３．
図５は、この発明の実施の形態３による空気調和機のベーン脱着機構を示す要部拡大斜視図である。図において、１５は風路１３の上面壁２４に直接取り付けられている板状ベース部で、この板状ベース部に所定間隔を有して回動自在に装着され、風の左右方向を変更する複数の縦ベーン１４と、これら縦ベーン１４をそれぞれアーム１６を介して連結し、各縦ベーンを一斉に同一方向に回動変位する風向設定部とを備えている。前記板状ベース部１５は、左右方向に細長い柔軟性のある材質の平板からなり、この平板の長手方向の片側に板状ベース部固定用略Ｃ字状フック２５が設けられ、このＣ字状フック２５は開口部が吹出口９の下流側に位置している。前記板状ベース部１５には長手方向反対側には固定用フック２６を備えている。前記Ｃ字状フック２５と対向する前記吹出口上面壁２４には軸２７が設けられ板状ベース部１５が装着され回転可能となっている。
【００２７】
また、前記板状ベース部１５固定用フック２６と対向する前記吹出口上面壁２４には前記軸２７により回転した板状ベース部１５が固定されるフック２８が設けられ固定される。装着後の板状ベース部１５は風路内に収納するように設けられている。２９は前記板状ベース部１５の固定用フック２６側に設けたフック解除時の取手で、ベーン機構部とは別色とされ、前記吹出口上面壁２４には略Ｔ字状凹３０が一定間隔で設けられ、対向する板状ベース部１５には前記略Ｔ字状凹３０が装着可能な略Ｔ字状凸３１が設けられ、回転装着時のガイドをされ装着可能とされている。３２は左右風向自動用モータ、３３は一端を前記モータに接続し、他端に第二のＣ状フック３４を備えた第二のアーム、３５は前記アーム１６の先端に下方に突出して設けた可動軸で、前記第二アームのＣ状フック３４が装着されている。
【００２８】
実施の形態４．
なお、上記実施例では、前記吹出口上面壁１５は略Ｔ字状凹２３、対向する板状ベース部１５に略Ｔ字状凸２４が設けられたがその逆でも可能である。
【００２９】
【発明の効果】
この発明の空気調和機のベーン脱着機構は、熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、前記吹出口の風路中に回転可能に設けると共に、回転装着時のガイドを吹出口部上面壁側と板状ベース部側とに一定間隔に複数設けた構成としたから、縦ベーン機構部を開閉回転可能にし、吹出口を開放状態にでき、一般のユーザーでも簡単に吹出口側から手を入れて送風機または、風路内の清掃を可能とすると共に、ベーン脱着機構の吹出口上壁への装着を用意にする効果を有する。
【００３０】
また、この発明の空気調和機のベーン脱着機構は、熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、上記吹出口の風路中に回転可能に設けると共に、板状ベース部回転軸をモータ駆動回転軸と同一方向に設けた構成としたから、縦ベーン機構部を開閉回転可能にし、吹出口を開放状態にでき、一般のユーザーでも簡単に吹出口側から手を入れて送風機または、風路内の清掃を可能とすると共に、ベーン脱着機構の洗浄が可能となり、より清掃性が向上する効果を有する。
【００３１】
また、この発明の空気調和機のベーン脱着機構は、熱交換器と送風機を備えた空気調和機本体と、この本体内の上記送風機から吹出される熱交換空気の吹出口と、この吹出口に配置され、吹出し空気の方向を変更するベーン機構部であって、このベーン機構部の板状ベース部の一方を回転部、他方に固定部を備え、前記吹出口の上面壁に回転可能に設けると共に、前記板状ベース部を前記上面壁に収納され同一平面とするように設けた構成としたから、縦ベーン機構部を開閉回転可能にし、吹出口を開放状態にでき、一般のユーザーでも簡単に吹出口側から手を入れて送風機または、風路内の清掃を可能とすると共に、風路抵抗を無くし良好な空力特性を得る効果を有する。
【００３２】
また、この発明の空気調和機のベーン脱着機構は、板状ベース部の固定部側に固定用フック解除時の取手を設けると共に、この取手をベーン脱着機構とは異なる色体とした構成としたから、ベーン脱着機構の操作が簡単になると共に、清掃業者が可動部の判別が容易となり、作業の向上を図ることができる効果を有する。
【図面の簡単な説明】
【図１】この発明の実施の形態１による空気調和機のベーン脱着機構を示す断面である。
【図２】この発明の実施の形態１による空気調和機のベーン脱着機構の一部習動状態を示す斜視図である。
【図３】この発明の実施の形態１による空気調和機のベーン脱着機構を示す要部分解斜視図である。
【図４】この発明の実施の形態２による空気調和機のベーン脱着機構を示す要部分解斜視図である。
【図５】この発明の実施の形態３による空気調和機のベーン脱着機構を示す要部拡大分解斜視図である。
【図６】従来の空気調和機のベーン脱着機構を示す断面図である。
【図７】従来の空気調和機のベーン脱着機構を示す分解斜視図である。
【図８】従来の空気調和機のベーン脱着機構を示す分解斜視図である。
【図９】従来の空気調和機のベーン脱着機構を示す分解斜視図である。
【符号の説明】
１  本体、２  パネル、３  ボックス、４  吸込グリル、５  吸込口、６  熱交換器、７  送風機、８  ドレンパン、９  吹出口、１０  ベーン機構部、１１水平ベーン、１２  縦ベーン機構部、１３  風路、１４  縦ベーン、１５  板状ベース部、１６  アーム、２４  吹出口上壁、２４ａ  段差部、２５  Ｃ字状フック、２６  固定用フック、２７  軸、２８  フック、２９  取手、３０  略Ｔ字状凹、３１  略Ｔ字状凸、３２  左右風向自動用モータ、３３  第二のアーム、３５  第二のフック。
【図１】
0003575410.tif 000002
【図２】
0003575410.tif 000003
【図３】
0003575410.tif 000004
【図４】
0003575410.tif 000005
【図５】
0003575410.tif 000006
【図６】
0003575410.tif 000007
【図７】
0003575410.tif 000008
【図８】
0003575410.tif 000009
【図９】
0003575410.tif 000010